(57)【要約】【課題】雑物捕集体の突出量が異なる複数種のタイプを準備する必要がなく、施工後に雑物捕集体の突出量を変更できる排水装置を提供する。【解決手段】排水装置１は、雨水を受け入れる筒状本体部11およびこの筒状本体部11の外周面から突出する鍔部15を有する本体６を備える。本体６の筒状本体部11内には、網状の雑物捕集体９を脱着可能に取り付ける。筒状本体部11における鍔部15の上面と対向する位置には、水抜き孔17を筒状本体部11の内外周面に貫通して形成する。雑物捕集体９の本体６からの上方への突出量が調整可能である。【選択図】図１
2008101333.tif 000002
【特許請求の範囲】
【請求項１】
雨水を受け入れて排水管に排出する排水装置であって、
雨水を受け入れる筒状本体部およびこの筒状本体部の外周面から突出する鍔部を有する本体と、
この本体に取り付けられ、ごみ等の雑物が前記排水管に入ることを防止する雑物捕集体とを備え、
前記筒状本体部における前記鍔部の上面と対向する位置には、水抜き孔が前記筒状本体部の内外周面に貫通した状態に形成され、
前記雑物捕集体の前記本体からの上方への突出量が調整可能となっている
ことを特徴とする排水装置。
【請求項２】
本体は、本体側嵌合部を有し、
雑物捕集体は、前記本体側嵌合部と嵌脱可能に嵌合する捕集体側嵌合部を有し、
前記本体側嵌合部と前記捕集体側嵌合部とが嵌合した状態では、前記雑物捕集体の上面が前記本体の上端と略同じ高さ位置に位置し、
前記本体側嵌合部と前記捕集体側嵌合部との嵌合が解除された状態では、前記雑物捕集体の上面が前記本体の上端より高い高さ位置に位置する
ことを特徴とする請求項１記載の排水装置。
【請求項３】
本体の本体側嵌合部は、筒状本体部の内周面から突出する複数の嵌合凸部であり、
雑物捕集体の捕集体側嵌合部は、前記雑物捕集体の下部に切欠き形成され下方に向って開口する複数の嵌合凹部である
ことを特徴とする請求項２記載の排水装置。
【発明の詳細な説明】
【技術分野】
【０００１】
本発明は、例えば建物の屋上やベランダ等に設置され雨水を受け入れこの受け入れた雨水を排水管に排出する排水装置に関するものである。
【背景技術】
【０００２】
従来、例えば排水管の上端部に接続されるドレン本体等の本体と、この本体に形成された排水口周縁に一体的に固定された環状の防水シートと、排水口上方に配置され多少のごみ等では目詰りしないよう本体から上方に向って大きく突出するストレーナ等の雑物捕集体とを備えたルーフドレン等の排水装置が知られている（例えば、特許文献１参照）。
【特許文献１】特開２００６−３７３９１号公報
【発明の開示】
【発明が解決しようとする課題】
【０００３】
しかしながら、近年、雑物捕集体が本体から上方に向って大きく突出するものでは、つまずくおそれがあるばかりでなく、見栄えも良くないと考える施主が増加し、そのため、雑物捕集体が本体から上方に向って突出しないものも使用され始め、施工業者は、突出するタイプと突出しないタイプの両方を準備する必要があった。
【０００４】
本発明は、このような点に鑑みなされたもので、雑物捕集体の突出量が異なる複数種のタイプを準備する必要がなく、また施工後であっても雑物捕集体の突出量を変更できる排水装置を提供することを目的とする。
【課題を解決するための手段】
【０００５】
請求項１記載の排水装置は、雨水を受け入れて排水管に排出する排水装置であって、雨水を受け入れる筒状本体部およびこの筒状本体部の外周面から突出する鍔部を有する本体と、この本体に取り付けられ、ごみ等の雑物が前記排水管に入ることを防止する雑物捕集体とを備え、前記筒状本体部における前記鍔部の上面と対向する位置には、水抜き孔が前記筒状本体部の内外周面に貫通した状態に形成され、前記雑物捕集体の前記本体からの上方への突出量が調整可能となっているものである。
【０００６】
請求項２記載の排水装置は、請求項１記載の排水装置において、本体は、本体側嵌合部を有し、雑物捕集体は、前記本体側嵌合部と嵌脱可能に嵌合する捕集体側嵌合部を有し、前記本体側嵌合部と前記捕集体側嵌合部とが嵌合した状態では、前記雑物捕集体の上面が前記本体の上端と略同じ高さ位置に位置し、前記本体側嵌合部と前記捕集体側嵌合部との嵌合が解除された状態では、前記雑物捕集体の上面が前記本体の上端より高い高さ位置に位置するものである。
【０００７】
請求項３記載の排水装置は、請求項２記載の排水装置において、本体の本体側嵌合部は、筒状本体部の内周面から突出する複数の嵌合凸部であり、雑物捕集体の捕集体側嵌合部は、前記雑物捕集体の下部に切欠き形成され下方に向って開口する複数の嵌合凹部であるものである。
【発明の効果】
【０００８】
請求項１に係る発明によれば、雑物捕集体の本体からの上方への突出量が調整可能となっているため、雑物捕集体の突出量が異なる複数種のタイプを準備する必要がなく、また施工後であっても雑物捕集体の突出量を変更できる。しかも、本体の筒状本体部における鍔部の上面と対向する位置には、水抜き孔が筒状本体部の内外周面に貫通した状態に形成されているため、例えば浸入水等を鍔部の上面から水抜き孔を通して本体の筒状本体部内に導き入れることができる。
【０００９】
請求項２に係る発明によれば、本体の本体側嵌合部と雑物捕集体の捕集体側嵌合部とを嵌合させたり嵌合させなかったりすることで、雑物捕集体の突出量を容易に変更できる。
【００１０】
請求項３に係る発明によれば、本体の複数の嵌合凸部と雑物捕集体の複数の嵌合凹部とを嵌合させたり嵌合させなかったりすることで、雑物捕集体の突出量を容易かつ適切に変更できる。
【発明を実施するための最良の形態】
【００１１】
本発明の排水装置の一実施の形態を図面を参照して説明する。
【００１２】
図１および図２において、１は排水装置で、この排水装置１は、例えば建物の屋上やベランダ等のコンクリート製の床面部であるスラブ２に設置され、スラブ２の上面上から雨水を受け入れるとともにごみ等の雑物を捕集し、その受け入れた雨水を下部に接続された排水管３に排出するルーフドレン等である。
【００１３】
排水装置１は、雨水を受け入れる略円筒状の本体６と、本体６の下部内周側に上部外周側が嵌合接続された円筒状のパイプ７と、パイプ７の下部外周側に上部内周側が嵌合接続され下部内周側に排水管３の上端部外周側が嵌合接続された円筒状のソケット８と、本体６の上部内周側に脱着可能に取付けられごみ等の雑物、例えば枯葉等を捕集してその雑物が排水管３に入ることを防止する網状の雑物捕集体９とを備えている。そして、この排水装置１では、雑物捕集体９の本体６からの上方への突出量が調整可能となっている。すなわち例えば雑物捕集体９が本体６から上方に向って突出しない状態（非突出状態）と雑物捕集体９が本体６から上方に向って突出する状態（突出状態）とに選択的に切り換え可能となっている。
【００１４】
本体６は、図３ないし図６にも示すように、例えば合成樹脂等にて上下面開口した略円筒状に形成されている。本体６は、上面開口10から雨水を受け入れる略円筒状の筒状本体部11と、筒状本体部11の下端に略円環状の環状板部12を介して一体に設けられ筒状本体部11より小径の略円筒状の下部筒状部13とを有している。
【００１５】
筒状本体部11の外周面の上下方向略中央には、筒状本体部11の外周面から外方に向って突出する略円環状の鍔部15が一体に設けられ、鍔部15の外周縁には突部16が上方に向って一体に突設されている。鍔部15の上面は、外周縁から内周縁に向って下り傾斜する傾斜面15aにて形成されている。筒状本体部11における鍔部15の上面である傾斜面15aと対向する位置には、その傾斜面15a上の水を筒状本体部11内に導き入れるための水抜き孔17が筒状本体部11の内外周面に貫通した状態に複数形成されている。例えば水抜き孔17は、筒状本体部11の周方向に等間隔をおいた４箇所位置に形成されている（図４参照）。また、筒状本体部11の下部の外周面には、筒状本体部11の外周面から外方に向って突出するとともに鍔部15の下面から下方に向って突出する略三角形状のリブ板18が筒状本体部11の周方向に等間隔をおいた４箇所位置に一体に設けられている。
【００１６】
筒状本体部11の下部の内周面には、筒状本体部11の内周面から内方に向って突出する複数、例えば４つの上下方向にやや長手状の本体側嵌合部である嵌合凸部20が一体に設けられている。例えば嵌合凸部20は、リブ板18に対応して筒状本体部11の周方向に等間隔をおいた４箇所位置に形成されている。嵌合凸部20の筒状本体部11の内周面からの内方への突出寸法は、筒状本体部11の厚さ寸法と略同じである。
【００１７】
環状板部12の上面は、外周縁から内周縁に向って下り傾斜する傾斜面12aにて形成されている。環状板部12の内周縁部が下部筒状部13の内周面より内方に向って突出し円形状の排水口21に臨んで位置する突出縁部22となっており、下部筒状部13の内周側に嵌合接続されたパイプ７の上端面がその突出縁部22の下面に接触している。
【００１８】
なお、本体６の下部筒状部13の内径寸法は、パイプ７の規格外径と略同じであるので、既存のパイプを下部筒状部13の内周側に挿入して嵌合接続可能であり、このため、スラブ２の厚さ寸法に対応して切断した所望の長さ寸法のパイプ７とソケット８とを組み合せることで、任意の厚さ寸法のスラブ２に対応可能となっている。
【００１９】
雑物捕集体９は、図７ないし図１０にも示すように、例えば合成樹脂等にて下面開口した略帽子状に形成されている。雑物捕集体９は、円筒状の側壁部31と、側壁部31の上周端に一体に設けられた略ドーム状の上板部32とを有している。
【００２０】
上板部32には、雨水を通す複数の孔部33が形成されている。孔部33は、例えば開口面積の異なる３種類の孔33a，33b，33cにて構成され、これら複数の孔33a，33b，33cは上板部32の周方向に間隔をおいて配置されている（図８および図９参照）。上板部32の周縁部に配置された複数の孔33cのうち２つの孔33cは、指を挿入可能な大きさに形成されて指掛け用孔部34となっている。
【００２１】
側壁部31の下部には、本体６の嵌合凸部20と嵌脱可能に嵌合する複数、例えば４つの略矩形状の捕集体側嵌合部である嵌合凹部35が下方に向って開口するように切欠き形成されている。例えば嵌合凹部35は、本体６の嵌合凸部20に対応して側壁部31の周方向に等間隔をおいた４箇所位置に形成されている。嵌合凹部35の深さ寸法は、本体６の嵌合凸部20の上下方向の長さ寸法と略同じである。
【００２２】
なお、雑物捕集体９の側壁部31の外径寸法は、本体６の筒状本体部11の内径寸法と略同じで、側壁部31は本体６の筒状本体部11の内周側に対して嵌脱可能となっている。側壁部31の外周面には、雑物捕集体９の本体６に対する嵌合を確実にするための上下方向長手状の膨出部36が突設されている。
【００２３】
そして、図１に示すように、雑物捕集体９の嵌合凹部35内に本体６の嵌合凸部20が入り込み、本体６の嵌合凸部20と雑物捕集体９の嵌合凹部35とが互いに嵌合し、雑物捕集体９の下端が本体６の環状板部12上に載った状態では、雑物捕集体９の上面（上端）が本体６の上端（スラブ２の上面）と略同じ高さ位置に位置する。このため、見栄えが良好であるとともに、雑物捕集体９につまずくようなこともない。なお、雑物捕集体９の上面が本体６の上端と略同じ高さ位置に位置する場合とは、雑物捕集体９の上面の高さ位置が本体６の上端の高さ位置と同じである場合のほか、雑物捕集体９の上面の高さ位置が本体６の上端の高さ位置より若干低い場合や、若干高い場合も含む意味である。
【００２４】
また、図２に示すように、本体６の嵌合凸部20と雑物捕集体９の嵌合凹部35との嵌合が解除され、雑物捕集体９の下端が本体６の嵌合凸部20上に載った状態では、雑物捕集体９の上面（上端）が本体６の上端（スラブ２の上面）より高い高さ位置に位置する。すなわち例えば雑物捕集体９の上板部32の全体が本体６の筒状本体部11の上端より上方に向って突出してスラブ２の上面より上方の位置に配置されており、雑物捕集体９の孔部33が多少のごみ等の雑物では目詰りしないようになっている。
【００２５】
そして、このように本体６の複数の嵌合凸部20と雑物捕集体９の複数の嵌合凹部35とを嵌合させたり嵌合させなかったりすることで、雑物捕集体９の本体６の上端からの上方への突出量が例えば２段階に調整可能であるため、従来とは異なり雑物捕集体９の本体６に対する突出量が異なる複数種のタイプを準備する必要がなく、また施工後であっても必要に応じて雑物捕集体９の本体６からの上方への突出量を容易かつ適切に変更できる。
【００２６】
しかも、本体６の筒状本体部11における鍔部15の上面である傾斜面15aと対向する位置には、複数の水抜き孔17が筒状本体部11の内外周面に貫通した状態に形成されているため、例えば施工完了後においてスラブ２と本体６の筒状本体部11の外周面との間の僅かな隙間に微量の雨水が浸入水として浸入したとしても、その浸入水は、鍔部15の傾斜面15aにて受け止められた後、その傾斜面15aから水抜き孔17を通って本体６の筒状本体部11内に導かれ、よって、浸入水が排水装置１の外周を伝って排水管３の外周に垂れるようなことがない。
【００２７】
また、コンクリート打設時には余剰水を鍔部15の上面である傾斜面15aから水抜き孔17を通して本体６の筒状本体部11内に導き入れることができるが、水抜き孔17が大きすぎると、コンクリートが水抜き孔17を通って本体６の筒状本体部11内に入り込むおそれがある。そのため、水抜き孔17は例えば５ｍｍ四方の大きさに形成されることでコンクリートの入り込みが抑制され、余剰水とともに入り込んでしまった微量のコンクリートがその硬化後に手で簡単に剥がせる程度となっている。
【００２８】
なお、図１１に示すように、嵌合凹部35の深さ寸法と嵌合凸部20の上下方向長さ寸法とを図１に示す場合に比べて若干大きくして、雑物捕集体９の上面の高さ位置と本体６の上端の高さ位置とが同じになるようにしてもよい。
【００２９】
また、図１２に示すように、嵌合凸部20と嵌合凹部35との嵌合を解除して、雑物捕集体９を本体６から上方に向けて突出させた突出状態時において、嵌合凸部20の上端部と嵌合する複数の回転防止用凹部40を側壁部31の下端に切欠き形成して、雑物捕集体９が本体６に対して回転しないようにしてもよい。
【００３０】
さらに、例えば図示しないが、雑物捕集体９の本体６からの上方への突出量が３段階以上、或いは無段階に調整できるような構成とすることも可能である。
【００３１】
次に、上記排水装置１の施工方法について説明する。
【００３２】
排水装置１の施工は、例えば、図１３ないし図１７に示す施工補助部材である第１補助部材41と図１８ないし図２１に示す施工補助部材である第２補助部材42とを用いて、図２２に示すように、排水装置１を構成する本体６、パイプ７およびソケット８をコンクリート下型枠46に対して固定手段43を操作して固定した後、コンクリート上型枠47を配設し、その後、コンクリート下型枠46とコンクリート上型枠47との間の空間部に生コンクリートを流し込むようにする。
【００３３】
固定手段43は、例えば外周面全体に雄ねじ部50が形成された上下方向長手状の棒状部材51と、棒状部材51の上端側に螺合されたねじ部材である蝶ねじ部材52と、棒状部材51の下端側に螺合された六角ナット等のナット部材53とにて構成されている。
【００３４】
第１補助部材41は、例えば合成樹脂等にて平面視略円形状に形成され、その外径寸法がソケット８の内径寸法（本体６の下部筒状部13の内径寸法）と略同じで、この第１補助部材41はソケット８の内周側（本体６の下部筒状部13の内周側）に対して嵌脱可能となっている。第１補助部材41の中心側には棒状部材51を挿通する挿通孔部56が形成され、この挿通孔部56に連続してナット収容部57が形成されている。このナット収容部57にナット部材53が固定して収容される。また、第１補助部材41の底面部には、固定ねじ60を挿通する複数、例えば４つのねじ用孔部58とこのねじ用孔部58より大径の複数、例えば２つの孔部59とがそれぞれ形成されている。
【００３５】
第２補助部材42は、例えば合成樹脂等にて平面視略横長状に形成され、その長手方向寸法が本体６の筒状本体部11の内径寸法と略同じで、この第２補助部材42は本体６の筒状本体部11の内側に対して嵌脱可能となっている。第２補助部材42の長手方向中央部には棒状部材51を挿通する挿通孔部61が形成されている。また、第２補助部材42には、上方に向って開口する２本の凹溝部62が第２補助部材42の長手方向に沿って形成されている。
【００３６】
そして、排水装置１を施工する場合、まず、図２２に示すように、固定ねじ60によって第１補助部材41をコンクリート下型枠46に固定する。次いで、第１補助部材41の外周側にはソケット８の下部内周側を嵌合接続し、このソケット８の上部内周側にはパイプ７の下部外周側を嵌合接続し、このパイプ７の上部外周側には本体６の下部筒状部13の内周側を嵌合接続し、このパイプ７の上端面を本体６の突出縁部22の下面に当てる。
【００３７】
次いで、第２補助部材42を本体６の筒状本体部11の内側に嵌め込み、第１補助部材41のナット収容部57内のナット部材53に下端側を螺合しかつ上下方向中間部を挿通孔部56，61に挿通した棒状部材51の上端側に蝶ねじ部材52を螺合し、この蝶ねじ部材52を締め込むと、本体６、パイプ７およびソケット８がコンクリート下型枠46に対して固定される。
【００３８】
その後、本体６の筒状本体部11の上端上にコンクリート上型枠47を配設してから、コンクリート下型枠46とコンクリート上型枠47との間の空間部に生コンクリートを流し込む。そして、コンクリートの硬化後に、コンクリート下型枠46およびコンクリート上型枠47を取り去るとともに、第１補助部材41、第２補助部材42および固定手段43を取り外し、その後、本体６の筒状本体部11の内周側に雑物捕集体９を取り付ける。
【００３９】
そして、雑物捕集体９を本体６に取り付ける際に、本体６の嵌合凸部20と雑物捕集体９の嵌合凹部35とを嵌合させた場合、図１に示すように雑物捕集体９が本体６から上方に向って突出しない非突出状態になり、本体６の嵌合凸部20と雑物捕集体９の嵌合凹部35とを嵌合させない場合、図２に示すように雑物捕集体９が本体６から上方に向って突出する突出状態になる。
【００４０】
なお、図２３に示すように、パイプ７およびソケット８を使用しない場合には、固定ねじ60でコンクリート下型枠46に固定した第１補助部材41の外周側に本体６の下部筒状部13の内周側を嵌合接続し、その一方で、本体６の筒状本体部にはボイド管65を嵌合接続する。
【００４１】
そして、蝶ねじ部材52を締め込むことで本体６をコンクリート下型枠46に対して固定し、その後、ボイド管65の上端上にコンクリート上型枠47を配設してから、コンクリート下型枠46とコンクリート上型枠47との間の空間部に生コンクリートを流し込む。そして、コンクリートの硬化後に、コンクリート下型枠46およびコンクリート上型枠47を取り去るとともに、第１補助部材41、第２補助部材42および固定手段43を取り外す。また、ボイド管65を取り外してから、コンクリートを削る等して本体６の筒状本体部11の上端に向って下り傾斜する傾斜面を形成し、その後、本体６の筒状本体部11の内周側に雑物捕集体９を取り付ける。
【００４２】
また、図２４に示すように、第２補助部材42を使用しない場合には、コンクリート上型枠47に形成された挿通孔部47aに棒状部材51を挿通し、コンクリート上型枠47から上方に突出する棒状部材51の上端部に蝶ねじ部材52を螺合し、この蝶ねじ部材52を締め込むことで本体６、パイプ７およびソケット８をコンクリート下型枠46に対して固定する。
【００４３】
その後、コンクリート下型枠46とコンクリート上型枠47との間の空間部に生コンクリートを流し込み、コンクリートの硬化後に、コンクリート下型枠46およびコンクリート上型枠47を取り去るとともに、第１補助部材41および固定手段43を取り外し、その後、本体６の筒状本体部11の内周側に雑物捕集体９を取り付ける。
【００４４】
なお、固定手段43の棒状部材51は、外周面全体に雄ねじ部50が形成されたものには限定されず、例えば長手方向両端側のみに雄ねじ部を形成したもの等でもよい。
【００４５】
また、固定手段43として、例えば棒状部材51とナット部材53とが一体となった六角ボルト等のボルト部材とこのボルト部材に螺合する蝶ねじ部材52とを用いてもよい。
【図面の簡単な説明】
【００４６】
【図１】本発明の一実施の形態に係る排水装置の非突出状態時における断面図である。
【図２】同上排水装置の突出状態時における断面図である。
【図３】同上排水装置の本体の側面図である。
【図４】同上排水装置の本体の平面図である。
【図５】同上排水装置の本体の底面図である。
【図６】図４における本体のＶＩ−ＶＩ断面図である。
【図７】同上排水装置の雑物捕集体の側面図である。
【図８】同上排水装置の雑物捕集体の平面図である。
【図９】同上排水装置の雑物捕集体の底面図である。
【図１０】図８における雑物捕集体のＸ−Ｘ断面図である。
【図１１】他の実施の形態に係る排水装置の非突出状態時における断面図である。
【図１２】他の実施の形態に係る排水装置の突出状態時における断面図である。
【図１３】排水装置の施工時に使用する第１補助部材の平面図である。
【図１４】同上第１補助部材の底面図である。
【図１５】図１３における第１補助部材のＡ−Ａ断面図である。
【図１６】図１３における第１補助部材のＢ−Ｂ断面図である。
【図１７】図１３における第１補助部材のＣ−Ｃ断面図である。
【図１８】排水装置の施工時に使用する第２補助部材の平面図である。
【図１９】同上第２補助部材の底面図である。
【図２０】図１８における第２補助部材のＤ−Ｄ断面図である。
【図２１】図１８における第２補助部材のＥ−Ｅ断面図である。
【図２２】排水装置の施工時の状態を示す断面図である。
【図２３】排水装置の施工時の状態を示す断面図である。
【図２４】排水装置の施工時の状態を示す断面図である。
【符号の説明】
【００４７】
１    排水装置
３    排水管
６    本体
９    雑物捕集体
11    筒状本体部
15    鍔部
17    水抜き孔
20    本体側嵌合部である嵌合凸部
35    捕集体側嵌合部である嵌合凹部
【図１】
2008101333.tif 000003
【図２】
2008101333.tif 000004
【図３】
2008101333.tif 000005
【図４】
2008101333.tif 000006
【図５】
2008101333.tif 000007
【図６】
2008101333.tif 000008
【図７】
2008101333.tif 000009
【図８】
2008101333.tif 000010
【図９】
2008101333.tif 000011
【図１０】
2008101333.tif 000012
【図１１】
2008101333.tif 000013
【図１２】
2008101333.tif 000014
【図１３】
2008101333.tif 000015
【図１４】
2008101333.tif 000016
【図１５】
2008101333.tif 000017
【図１６】
2008101333.tif 000018
【図１７】
2008101333.tif 000019
【図１８】
2008101333.tif 000020
【図１９】
2008101333.tif 000021
【図２０】
2008101333.tif 000022
【図２１】
2008101333.tif 000023
【図２２】
2008101333.tif 000024
【図２３】
2008101333.tif 000025
【図２４】
2008101333.tif 000026